(57)【特許請求の範囲】
【請求項１】
駆動手段の駆動により可動部材を第１の折返し位置および第２の折返し位置の間で往復移動させて演出を行なうよう構成された遊技機の可動演出装置において、
前記可動部材を往復移動可能に支持する装置本体と、
前記装置本体に内部画成された空間部に収容され、前記駆動手段の駆動に伴って回転される回転部材と当該回転部材および前記可動部材に接続するアーム部材とを備え、当該アーム部材が動作することで可動部材を作動させる駆動伝達手段と、
前記駆動伝達手段の回転部材に外周端縁から径方向外方へ延出するよう設けられて前記第１の折返し位置に対応する第１位置および前記第２の折返し位置に対応する第２位置の間で往復移動し、移動過程で検出手段に検出される指標手段と、
前記装置本体に設けられ、前記第２位置から前記第１位置に移動した前記指標手段に当接して前記可動部材の移動を規制する第１規制部と、
前記装置本体に設けられ、前記第１位置から前記第２位置に移動した前記指標手段に当接して前記可動部材の移動を規制する第２規制部とを備え、
前記回転部材は、回転中心から偏倚した位置に回転軸線に沿う方向へ突出する作動軸が設けられ、
前記アーム部材は、前記装置本体に対して揺動可能に支持される回転軸から径方向に延在するよう形成されて、前記回転部材の回転に伴う前記指標手段の回転領域に対して当該アーム部材が回転軸線方向に離間して位置するよう構成されると共に、
前記アーム部材の長手方向に延在するよう形成された作動孔に前記回転部材の作動軸が挿入されて、当該回転部材が前記第１位置および前記第２位置にある状態において、作動孔と作動軸との接触点の前記回転軸を中心とした回転方向を回転部材の回転中心を中心とした作動軸の回転方向に略直交させて当該回転部材を第１位置および第２位置に保持するよう構成された
ことを特徴とする遊技機の可動演出装置。
【請求項２】
前記駆動伝達手段は、前記駆動手段の駆動軸に取り付けられる駆動歯車を備え、当該駆動歯車が前記回転部材の外周部に形成された歯部に噛合するよう構成されると共に、当該回転部材に対して前記アーム部材側の端縁に前記指標手段が形成されて、回転部材の回転に伴って駆動歯車およびアーム部材の間を指標手段が移動するよう構成され、
前記装置本体における前記駆動歯車に対応する位置に、前記空間部を装置外部に連通する操作窓が開設されて、該操作窓を介して駆動歯車を装置外部から操作し得るよう構成された請求項１記載の遊技機の可動演出装置。
【請求項３】
前記装置本体の同一面側に、前記第１規制部および第２規制部が形成されると共に、当該装置本体における第１および第２規制部の形成面と異なる面に、前記操作窓が開設される請求項２記載の遊技機の可動演出装置。
【発明の詳細な説明】
【技術分野】
【０００１】
この発明は、可動部材を動作させて演出を行なうよう構成された遊技機の可動演出装置に関するものである。
【背景技術】
【０００２】
代表的な遊技機であるパチンコ機は、遊技盤の盤面に画成した遊技領域の略中央位置に枠状の装飾部材(所謂センター役物)が配設されており、この装飾部材の開口部を介して複数の図柄を変動表示して図柄変動ゲームを行なう液晶式やドラム式等の図柄表示装置を後方から臨ませると共に、該遊技盤における装飾部材の下方位置に、パチンコ球(遊技球)の入賞により図柄表示装置での変動を開始させる始動入賞装置や大当り時等に開放する特別入賞装置を配設するよう構成されたものが多数提案されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、前記図柄表示装置で図柄変動ゲームに伴うリーチ演出等の各種の遊技演出がなされ、該図柄表示装置に図柄が所定の組み合わせで停止することにより所謂大当りが発生し、遊技盤に設けられた特別入賞装置が開放して多数の賞球を獲得し得るよう構成される。
【０００３】
また、前記装飾部材に対して所要の動作を行なう可動部材を備えた可動演出装置を配設し、図柄表示装置で行なわれる遊技演出に合わせて駆動モータを駆動して可動部材を動作させることにより、視覚的な演出効果を向上させ、遊技の興趣を高めるようにしたパチンコ機も知られている(例えば、特許文献１参照)。このような可動演出装置により所期の演出効果を実現するには、前記可動部材の基準位置を正確に検出して、該可動部材を所定の可動範囲で動作させることが必要になる。そこで、パチンコ機に配設される可動演出装置では、特許文献１に開示されるように、前記可動部材の基準位置を示す指標となる指標部を可動部材自体に設けて、センサによる指標部の検出状態に基づいて駆動モータを駆動すると共に、当該可動部材に係合部を形成して、可動部材が可動範囲の終端部に至った際に、該係合部を装置本体に形成した被係合部と係合させることで、可動部材を所定の可動範囲で所定の動作を行なわせるよう構成されている。
【先行技術文献】
【特許文献】
【０００４】
【特許文献１】特開２００９−１３６４８０号公報
【発明の概要】
【発明が解決しようとする課題】
【０００５】
ところで、特許文献１に開示された可動演出装置のように、基準位置を示す指標部と、可動範囲を規制する係合部とを可動部材に夫々独立して設ける構成では、可動部材の構造が複雑化し、装置の製造コストを押し上げる要因となっていた。また、前記可動部材に指標部と係合部とを個別に設ける関係上、該可動部材の動作に必要なスペースを確保するだけではなく、該可動部材と一体的に動作する指標部や係合部が他の構成部材と干渉しないよう構成する必要があり、指標部および係合部を設けることによる設計上の制約が増大する難点があった。
【０００６】
そこで本発明は、従来の技術に内在する前記問題に鑑み、これらを好適に解決するべく提案されたものであって、装置構成を簡略化しつつ、可動部材を所定の可動範囲で動作させ得る遊技機の可動演出装置を提供することを目的とする。
【課題を解決するための手段】
【０００７】
前記課題を克服し、所期の目的を達成するため、本願請求項１に係る発明は、
駆動手段(79)の駆動により可動部材(80)を第１の折返し位置および第２の折返し位置の間で往復移動させて演出を行なうよう構成された遊技機の可動演出装置において、
前記可動部材(80)を往復移動可能に支持する装置本体(65)と、
前記装置本体(65)に内部画成された空間部(65a)に収容され、前記駆動手段(79)の駆動に伴って回転される回転部材(97)と当該回転部材(97)および前記可動部材(80)に接続するアーム部材(103)とを備え、当該アーム部材(103)が動作することで可動部材(80)を作動させる駆動伝達手段(95)と、
前記駆動伝達手段(95)の回転部材(97)に外周端縁から径方向外方へ延出するよう設けられて前記第１の折返し位置に対応する第１位置および前記第２の折返し位置に対応する第２位置の間で往復移動し、移動過程で検出手段(78)に検出される指標手段(101)と、
前記装置本体(65)に設けられ、前記第２位置から前記第１位置に移動した前記指標手段(101)に当接して前記可動部材(80)の移動を規制する第１規制部(76)と、
前記装置本体(65)に設けられ、前記第１位置から前記第２位置に移動した前記指標手段(101)に当接して前記可動部材(80)の移動を規制する第２規制部(77)とを備え、
前記回転部材(97)は、回転中心から偏倚した位置に回転軸線に沿う方向へ突出する作動軸(102)が設けられ、
前記アーム部材(103)は、前記装置本体(65)に対して揺動可能に支持される回転軸(81)から径方向に延在するよう形成されて、前記回転部材(97)の回転に伴う前記指標手段(101)の回転領域に対して当該アーム部材(103)が回転軸線方向に離間して位置するよう構成されると共に、
前記アーム部材(103)の長手方向に延在するよう形成された作動孔(103a)に前記回転部材(97)の作動軸(102)が挿入されて、当該回転部材(97)が前記第１位置および前記第２位置にある状態において、作動孔(103a)と作動軸(102)との接触点の前記回転軸(81)を中心とした回転方向を回転部材(97)の回転中心を中心とした作動軸(102)の回転方向に略直交させて当該回転部材(97)を第１位置および第２位置に保持するよう構成されたことを要旨とする。
【０００８】
請求項１に係る発明によれば、検出手段に検出される可動部材の位置基準としての指標手段を規制手段に当接させて可動部材の可動範囲を規定するよう構成したことで、可動部材の可動範囲を規定する構成を別途備える必要がない。すなわち、可動部材の位置基準としての指標手段が可動部材の可動範囲を規定する手段としても機能することで、可動部材を所定の可動範囲で動作させ得ると共に、装置構成の簡略化を図り得る。また、指標手段が第１規制部および第２規制部に当接することで第１の折返し位置および第２の折返し位置の間で可動部材が動作する。すなわち、可動部材が所定の可動範囲を超えて動作することを確実に防止し得る。
【０００９】
請求項２に係る遊技機の可動演出装置では、前記駆動伝達手段(95)は、前記駆動手段(79)の駆動軸(79a)に取り付けられる駆動歯車(96)を備え、当該駆動歯車(96)が前記回転部材(97)の外周部に形成された歯部に噛合するよう構成されると共に、当該回転部材(97)に対して前記アーム部材(103)側の端縁に前記指標手段(101)が形成されて、回転部材(97)の回転に伴って駆動歯車(96)およびアーム部材(103)の間を指標手段(101)が移動するよう構成され、
前記装置本体(65)における前記駆動歯車(96)に対応する位置に、前記空間部(65a)を装置外部に連通する操作窓(73)が開設されて、該操作窓(73)を介して駆動歯車(96)を装置外部から操作し得るよう構成されたことを要旨とする。
【００１１】
請求項３に係る遊技機の可動演出装置では、前記装置本体(65)の同一面側に、前記第１規制部(76)および第２規制部(77)が形成されると共に、当該装置本体(65)における第１および第２規制部(76,77)の形成面と異なる面に、前記操作窓(73)が開設されることを要旨とする。
【発明の効果】
【００１３】
本発明に係る遊技機の可動演出装置によれば、可動部材の動作を制御した上で、スペースの有効活用を図ることができる。
【図面の簡単な説明】
【００１４】
【図１】本発明の好適な実施例に係るパチンコ機を示す正面図である。
【図２】実施例に係る遊技盤を示す正面図である。
【図３】実施例に係る裏ユニットを、可動演出装置等の各種部品を取付けた状態で示す正面図である。
【図４】実施例に係る装飾部材を前側から視た分解斜視図である。
【図５】実施例に係る装飾部材を後側から視た分解斜視図である。
【図６】実施例に係る装飾部材を示す要部正面図である。
【図７】実施例に係る装飾部材を示す縦断背面図である。
【図８】図６のＡ−Ａ線断面図である。
【図９】図６のＢ−Ｂ線断面図である。
【図１０】実施例に係る装飾部材を示す横断平面図である。
【図１１】実施例に係る装飾部材を示す縦断正面図である。
【図１２】実施例に係るステージの凹部と規制部との関係を示す説明図である。
【図１３】実施例に係る上可動演出装置を示す正面図である。
【図１４】実施例に係る上可動演出装置を示す斜視図である。
【図１５】実施例に係る上可動演出装置を正面側から視た状態で示す分解斜視図である。
【図１６】実施例に係る上可動演出装置を背面側から視た状態で示す分解斜視図である。
【図１７】実施例に係る上可動演出装置の装置本体の第１規制部および第２規制部と、従動歯車に形成した位置検出片との関係を示す説明図であって、(a)は、位置検出片が第１位置にあって第１規制部に当接した状態を示し、(b)は、位置検出片が第２位置にあって第２規制部に当接した状態を示し、(c)は、位置検出センサによる位置検出片の検出状態が切り替わる切替位置にある状態を示す。
【図１８】実施例に係る上可動演出装置の上可動部材を正面側から視た状態で示す分解斜視図である。
【図１９】実施例に係る上可動演出装置の上可動部材を背面側から視た状態で示す分解斜視図である。
【図２０】実施例に係る従動歯車に形成した位置検出片が第１位置にあって第１規制部に当接した状態を背面側から視た状態で示す説明図である。
【図２１】実施例に係る従動歯車に形成した位置検出片が第１位置および第２位置の間にある状態を背面側から視た状態で示す説明図である。
【図２２】実施例に係る従動歯車に形成した位置検出片が第２位置にあって第２規制部に当接した状態を背面側から視た状態で示す説明図である。
【発明を実施するための形態】
【００１５】
次に、本発明に係る遊技機の可動演出装置につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１６】
(パチンコ機について)
実施例に係るパチンコ機１０は、図１に示すように、矩形枠状に形成されて遊技店の図示しない設置枠台に固定される固定枠としての外枠１１の開口前面側に、後述する遊技盤１７(図２参照)が着脱可能に保持された本体枠としての中枠１２が開閉および着脱可能に組み付けられて、該遊技盤１７の裏側に対して、各種図柄を変動表示可能な図柄表示装置１３が着脱し得るよう配設されている。また、前記中枠１２の前面側には、前記遊技盤１７を透視保護するガラス板１４ａ(図１,図８参照)を備えた装飾枠としての前枠１４が開閉可能に組み付けられると共に、該前枠１４の下方にパチンコ球Ｐを貯留する下球受け皿１５が開閉可能に組み付けられる。なお、実施例では、前記前枠１４の下部位置に、パチンコ球Ｐを貯留する上球受け皿１６が一体的に組み付けられており、前枠１４の開閉に合わせて上球受け皿１６も一体的に開閉するよう構成される。また、前記中枠１２の裏側には、遊技に供されたパチンコ球Ｐを遊技店側に設けた球回収設備に排出する球回収部(図示せず)が設けられている。
【００１７】
(遊技盤について)
前記中枠１２に配設される前記遊技盤１７は、図２または図３に示すように、前面(盤面)にパチンコ球Ｐが流下可能な遊技領域１８ａが画成され、合板等の木製からなる平板状の板部材１８と、該板部材１８の裏面に組み付けられて前記図柄表示装置１３が着脱可能に配設されると共に、後述する可動演出装置６０,６１や複数の発光装置等の遊技部品が配設される合成樹脂材で形成された裏ユニット１９とから構成され、該裏ユニット１９に形成された前後に開口する開口部１９ａを介して図柄表示装置１３の表示部を前面側から視認し得るよう構成されている。裏ユニット１９に形成される開口部１９ａは、該裏ユニット１９の上下および左右幅の大部分が開口する大型の開口部である。ここで、前記板部材１８および裏ユニット１９は、外郭形状が略整合する大きさおよび形状に形成されて、該板部材１８と裏ユニット１９とを組み付けた状態で板部材１８の裏面を裏ユニット１９で全面的に覆うよう構成される。
【００１８】
(板部材について)
図２に示すように、前記板部材１８の前面には、円弧状に形成した案内レール２０が配設されると共に、該案内レール２０の右方位置に、左端縁が右方に凹む円弧状に形成した第１盤面飾り部材２１が配設されている。そして、前記案内レール２０および第１盤面飾り部材２１により前記遊技領域１８ａが略円形状に画成され、該遊技領域１８ａに、前記中枠１２に配設された図示しない打球発射装置から発射されたパチンコ球Ｐが遊技領域１８ａ内に打ち出され、該遊技領域１８ａ内をパチンコ球Ｐが流下して遊技が行なわれるようになっている。なお、打球発射装置から発射されたパチンコ球Ｐは、板部材１８の下側から左側に案内レール２０で案内されて、遊技領域１８ａの左上部に打ち出される。また、前記板部材１８の遊技領域１８ａ内には、多数の遊技釘が植設されており、該遊技領域１８ａを流下するパチンコ球Ｐは、遊技釘との接触により流下方向が不規則に変更させられるよう構成してある。なお、板部材１８の盤面には、前記案内レール２０の左方(遊技領域１８ａの外側)の上下位置に第２盤面飾り部材２２が夫々が配設されている。
【００１９】
前記板部材１８には、後述する装飾部材２６の配設位置より下方位置に、前記遊技領域１８ａを流下するパチンコ球Ｐが入賞可能な始動入賞装置(入賞装置)２３や特別入賞装置２４が配設されている。始動入賞装置２３は、前記遊技領域１８ａを流下するパチンコ球Ｐが入賞可能な上下の始動入賞口(入賞口)２３ａが設けられる。そして、前記始動入賞装置２３の始動入賞口２３ａへ入賞したパチンコ球Ｐが始動入賞センサ(図示せず)で検出されることで、図示しない制御装置の制御信号に基づいて図柄表示装置１３の表示部で図柄変動が開始されると共に、所定数(例えば５個)のパチンコ球Ｐが賞球として前記上下の球受け皿１５,１６に払い出される。なお、下側の始動入賞口２３ａを挟む左右位置には、相互に近接および離間するよう揺動可能な一対の羽根部材(開閉部材)２３ｂ,２３ｂが設けられており、裏側に設けたソレノイド等の駆動手段の駆動により羽根部材２３ｂ,２３ｂを揺動することで、下側の始動入賞口２３ａが開閉されるようになっている。
【００２０】
前記特別入賞装置２４は、入賞口２４ａが開閉扉(開閉部材)２４ｂで常には閉鎖されており、前記図柄表示装置１３での図柄変動の結果、図柄表示装置１３に所定の図柄組み合わせ(例えば同一図柄の三つ揃い等)で図柄が停止表示されることで所謂「大当り」が発生し、これにより開閉扉２４ｂが開放するよう作動制御されて、入賞口２４ａへの入賞により多数の賞球を獲得し得るようになっている。なお、板部材１８には、特別入賞装置２４の左右両側に、常に入賞口を開放している普通入賞装置２５が夫々配設される。
【００２１】
(装飾部材について)
前記板部材１８には、前後に貫通する貫通孔が形成されており、該貫通孔に対して前後に開口する枠状の装飾部材(所謂センター役物)２６が嵌め込まれるようにして着脱自在に配設される。そして、前記裏ユニット１９の開口部１９ａから臨む前記図柄表示装置１３の表示部は、装飾部材２６における前後に開口する窓口２６ａを介して板部材１８(遊技盤１７)の前側に臨んで、該図柄表示装置１３の表示部で展開される図柄変動演出を前側から視認し得るようになっている。
【００２２】
前記装飾部材２６は、図４、図５に示すように、前記板部材１８に開設された前記貫通孔に沿って延在する環状に形成された固定板２６ｂと、該固定板２６ｂに沿って設けられて、板部材１８より前方へ突出する庇部２６ｃとを備え、固定板２６ｂの前側から板部材１８にネジ止めするよう構成される。ここで、前記庇部２６ｃは、装飾部材２６(固定板２６ｂ)の左側縁の中間位置から上縁および右下縁に亘って連続して延在するよう設けられており、遊技領域１８ａに打ち出されたパチンコ球Ｐが庇部２６ｃに沿って誘導されることで、前記図柄表示装置１３の前面側を横切ってパチンコ球Ｐが流下(落下)するのを規制している。
【００２３】
図６に示すように、前記装飾部材２６には、窓口２６ａの下側に、前記固定板２６ｂから後方へ延出すると共に左右方向にパチンコ球Ｐを転動可能な光透過性のステージ２７が設けられている。また装飾部材２６には、窓口２６ａの左側に、前記遊技領域１８ａに開口して該遊技領域１８ａを流下するパチンコ球Ｐを取込んでステージ２７に案内する球通路２８が設けられ、該球通路２８からステージ２７に通出されたパチンコ球Ｐは、ステージ２７上を左右に転動した後に、前記各入賞装置２３,２４,２５が配設されている遊技領域１８ａに排出される。なお、装飾部材２６には、ステージ２７の右端部に臨んで、後述する第２球転動面３５ａから上方に延出する右側規制壁２９(図７参照)が設けられており、第２球転動面３５ａを転動するパチンコ球Ｐがステージ２７の右端部から外側方に移動するのを規制している。
【００２４】
(球通路について)
前記装飾部材２６の庇部２６ｃにおける左下端の下側に、遊技領域１８ａに開口する球入口３０が形成された通路用装飾体３１が前記固定板２６ｂの前面に配設されており、該通路用装飾体３１には球入口３０に連通して窓口２６ａ側に延在する通路が画成される。また固定板２６ｂの裏側には、通路用装飾体３１の配設位置から該固定板２６ｂに沿って下方に延在する球導入部材３２が配設され、該球導入部材３２に内部画成された通路が、球導入部材３２の上端部に開設された口部を介して通路用装飾体３１に画成される通路に連通するよう接続される。球導入部材３２の下端部には、右方(ステージ２７)に向けて球出口３３が開口し、該球出口３３が前記ステージ２７(第１の上段ステージ部３４)の左端部に臨むよう構成される(図７参照、但し図７では左右逆になっている)。すなわち、実施例では通路用装飾体３１に画成される通路および球導入部材３２に画成される通路から前記球通路２８が形成され、前記通路用装飾体３１の球入口３０に通入したパチンコ球Ｐは、球通路２８を通り、球導入部材３２の球出口３３からステージ２７に通出するよう構成されている。
【００２５】
前記通路用装飾体３１にはパチンコ球Ｐの通過が不能な複数の透孔３１ａが形成され、通路用装飾体３１の通路(球通路２８)を通るパチンコ球Ｐを前側から視認可能に構成される。また前記球導入部材３２は、通路(球通路２８)内を視認可能な半透明な合成樹脂材で形成され、該通路(球通路２８)を通るパチンコ球Ｐを前側から視認可能に構成されている。すなわち、遊技者にとって関心の高い前記球通路２８を通るパチンコ球Ｐの状況を、前側から視認可能にしてある。なお、実施例では通路用装飾体３１と球導入部材３２とで球通路２８を画成したが、球導入部材３２の口部を遊技領域１８ａに直接開口するよう構成し、該口部を球通路２８の球入口３０としてもよい。
【００２６】
前記通路用装飾体３１の前端部から前記前枠１４に設けたガラス板１４ａまでの離間寸法は、パチンコ球Ｐの直径よりも小さくなるよう構成されており、該通路用装飾体３１の前側を通ってパチンコ球Ｐが窓口２６ａ内に入り込まないようになっている。また、前記球導入部材３２の前面には、通路用装飾体３１の下端から後述する仕切板４５の左端部までの間に亘って前方に突出する規制片３２ａが設けられる。この規制片３２ａの前端部から前記ガラス板１４ａまでの離間寸法もパチンコ球Ｐの直径よりも小さくなるよう構成されており、前記球入口３０より下方でステージ２７より左方の遊技領域１８ａを流下するパチンコ球Ｐが前記遊技釘等との接触により弾かれた際に、該パチンコ球Ｐが装飾部材２６より後方に移動するのを規制片３２ａで規制するよう構成される。
【００２７】
(ステージについて)
前記ステージ２７は、パチンコ球Ｐが転動可能な第１の上段ステージ部３４および第２の上段ステージ部３５を左右方向に連設した第１ステージ部材３６と、該第１ステージ部材３６の下側に配設されて、パチンコ球Ｐが転動可能な下段ステージ部３７を設けた第２ステージ部材３８と、両ステージ部材３６,３８の裏側に配設された仕切部材３９とから基本的に構成される。すなわち実施例のステージ２７は、パチンコ球Ｐが転動可能な上段ステージ部３４,３５と下段ステージ部３７とを上下に重なるように２段で備えている。
【００２８】
(第１ステージ部材について)
前記第１ステージ部材３６は、図４および図５に示す如く、略一様な厚みで左右方向に延在し、パチンコ球Ｐが転動可能な第１の上段ステージ部３４および第２の上段ステージ部３５と、各上段ステージ部３４,３５の前端から下方に延在する上前壁部４０とを備え、上前壁部４０を介して装飾部材２６の固定板２６ｂにネジ止め固定されている。上前壁部４０の左右方向の中間部には、図４に示す如く、左右方向に所定長さに亘って切欠部４０ａが形成され、該切欠部４０ａが、前記下段ステージ部３７上のパチンコ球Ｐを前記遊技領域１８ａに排出する排出口として機能するよう構成される。また上前壁部４０の裏面には、切欠部４０ａの左右端縁部から後方に向けて突出する一対の区画壁４０ｂ,４０ｂが設けられ、図７および図１１に示す如く、両区画壁４０ｂ,４０ｂが下段ステージ部３７における後述する第３球転動面３７ａの左右の端部に位置して、該第３球転動面３７ａを左右方向に転動するパチンコ球Ｐが第３球転動面３７ａより左右外側方に移動するのを規制するようになっている。
【００２９】
前記第１ステージ部材３６は、全体が光透過性の合成樹脂材により形成されて、後述する装飾カバー６２や下可動部材６０ａに配設した発光装置の発光によって明輝するよう構成される。なお、第１ステージ部材３６におけるステージ部３４,３５の下面や上前壁部４０の裏面には光拡散加工が施され、発光装置による発光演出効果を向上し得るよう構成される。
【００３０】
前記第１の上段ステージ部３４および第２の上段ステージ部３５は、第１ステージ部材３６の左右方向の略中間位置で連設され、両ステージ部３４,３５を合わせた全体が、上下方向に緩やかに起伏する波形に形成されて、該ステージ部３４,３５上のパチンコ球Ｐは、上下方向に変位しながら左右に転動するようになっている。また第１ステージ部材３６では、両上段ステージ部３４,３５が連結する中間部分が上方に突出した凸形状部分(山状の部分)となり、該凸形状部分の左側において下方に突出した凹形状部分(谷状の部分)が第１の上段ステージ部３４となり、該凸形状部分の右側において下方に突出した凹形状部分(谷状の部分)が第２の上段ステージ部３５となっている。すなわち、第１の上段ステージ部３４の上面であってパチンコ球Ｐが転動可能な第１球転動面３４ａと、第２の上段ステージ部３５の上面であってパチンコ球Ｐが転動可能な第２球転動面３５ａとは凸形成部分で連結されて、両球転動面３４ａ,３５ａ間をパチンコ球Ｐが相互に移動し得るよう構成される。実施例では、第１球転動面３４ａと第２球転動面３５ａとを連結する凸形状部分を、以後、連結凸部４１と指称するものとする。
【００３１】
(第１の上段ステージ部について)
前記第１の上段ステージ部３４の第１球転動面３４ａは、図７または図１１に示すように、前記球通路２８(球導入部材３２)の球出口３３に接続する左端部(図７では右端部となる)から下方に緩やかに下降するよう湾曲し、最下部から反転して緩やかに上昇(第２の上段ステージ部３５に近接するにつれて上方傾斜)するよう湾曲して右端部(連結凸部４１)に至るように、全体が下方に突出した凹形状(谷状)に形成される。第１球転動面３４ａの形状を更に詳細に述べれば、球導入部材３２(球通路２８)の球出口３３に接続する左端部が大きな曲率で凹状に湾曲し、球通路２８(球導入部材３２)の球出口３３を通出したパチンコ球Ｐを勢いよく第１球転動面３４ａ上を転動させて右端部(連結凸部４１)に到来させるよう構成される。また、第１球転動面３４ａの右端部が大きな曲率で凹状に湾曲し、第１球転動面３４ａを転動するパチンコ球Ｐが右端部(連結凸部４１)を越えて前記第２の上段ステージ部３５の第２球転動面３５ａに移動するのを抑制し得るようになっている。すなわち、球通路２８(球導入部材３２)の球出口３３を通出したパチンコ球Ｐの勢いの違いによって、第１の上段ステージ部３４から第２の上段ステージ部３５に移動するパチンコ球Ｐと、第２の上段ステージ部３５に移動することなく第１の上段ステージ部３４のみを左右方向に転動するパチンコ球Ｐとが発生し得るよう構成される。
【００３２】
図４、図９または図１０に示すように、全体が凹形状に形成された前記第１球転動面３４ａには、最下部に、前側(遊技盤１７の盤面に対して直交する盤面前方)へ下方傾斜する第１球排出部(球排出部)３４ｂが形成されている。この第１球排出部３４ｂは、前記始動入賞装置２３における始動入賞口２３ａの鉛直上方位置から左方に偏倚しており、前記遊技領域１８ａにおいて始動入賞口２３ａとは異なる位置に向けてパチンコ球Ｐを排出するよう構成される。すなわち、第１球排出部３４ｂから遊技領域１８ａに排出されたパチンコ球Ｐの始動入賞口２３ａへの入賞確率は低くなっている。なお、第１ステージ部材３６の前面には、第１の上段ステージ部３４における左端部から第１球排出部３４ｂの左端までの領域に亘り、第１球転動面３４ａより上方に突出する左装飾体４２が配設される。これにより、前記球出口３３から通出したパチンコ球Ｐが第１球排出部３４ｂに至るまでは、該第１球転動面３４ａから遊技領域１８ａへのパチンコ球Ｐの排出が左装飾体４２で抑制されるようになっている。
【００３３】
(第２の上段ステージ部について)
前記第２の上段ステージ部３５の第２球転動面３５ａは、図７または図１１に示すように、前記第１の上段ステージ部３４の右端部(連結凸部４１)に接続する左端部(図７では右端部となる)から下方に緩やかに下降(第１の上段ステージ部３４から離間するにつれて下方傾斜)するよう湾曲し、最下部から反転して緩やかに上昇するよう湾曲して右端部に至るように、全体が下方に突出した凹形状(谷状)に形成される。第２球転動面３５ａの形状を更に詳細に述べれば、前記第１球転動面３４ａの右端部(連結凸部４１)に接続する左端部が大きな曲率で凹状に湾曲し、連結凸部４１を越えて第２球転動面３５ａに至ったパチンコ球Ｐを勢いよく該第２球転動面３５ａ上を転動させて右端部に到来させるよう構成される。また、第２球転動面３５ａの右端部が大きな曲率で凹状に湾曲し、第２球転動面３５ａを転動するパチンコ球Ｐが右端部に位置する前記右側規制壁２９に勢いよく衝突するのを防止するようになっている。なお、連結凸部４１を構成する前記第１球転動面３４ａにおける右端部の曲率より、該連結凸部４１を構成する第２球転動面３５ａおける左端部の曲率が大きく設定され、第１球転動面３４ａから連結凸部４１を越えて第２球転動面３５ａに一旦移動したパチンコ球Ｐが、再び第１球転動面３４ａに移動するのを困難にしている。
【００３４】
図４または図１０に示すように、全体が凹形状に形成された前記第２球転動面３５ａには、最下部に、前側(遊技盤１７の盤面に対して直交する盤面前方)へ下方傾斜する第２球排出部(球排出部)３５ｂが形成されている。この第２球排出部３５ｂは、前記始動入賞装置２３における始動入賞口２３ａの鉛直上方位置から右方に偏倚している。なお、第１ステージ部材３６の前面には、第２の上段ステージ部３５における右端部から第２球排出部３５ｂの右端までの領域に亘り、第２球転動面３５ａより上方に突出する右装飾体４３が配設される。これにより、第２球排出部３５ｂより右側の第２球転動面３５ａから遊技領域１８ａへのパチンコ球Ｐの排出が右装飾体４３で抑制されるようになっている。
【００３５】
(第２ステージ部材について)
前記第２ステージ部材３８は、図４および図５に示す如く、略一様な厚みで左右方向に延在し、前記第１ステージ部材３６における第１および第２の上段ステージ部３４,３５の下方に離間して重なって位置すると共にパチンコ球Ｐが転動可能な下段ステージ部３７と、下段ステージ部３７の前端から下方に延在する下前壁部４４とを備え、下前壁部４４を介して装飾部材２６の固定板２６ｂにネジ止め固定されている。第２ステージ部材３８を装飾部材２６に配設した状態で、下段ステージ部３７は、前記第１ステージ部材３６の上前壁部４０の切欠部４０ａに対応する位置で、該切欠部４０ａの左右幅寸法の長さで左右方向に延在している。また、第２ステージ部材３８を装飾部材２６に配設した状態で、第１ステージ部材３６における各上段ステージ部３４,３５の下面と下段ステージ部３７の上面(第３球転動面３７ａ)との離間寸法は、パチンコ球Ｐの直径より大きく設定され、下段ステージ部３７の上面(第３球転動面３７ａ)を転動するパチンコ球Ｐが各上段ステージ部３４,３５の下面に接触しないよう構成される。なお、第２ステージ部材３８における下前壁部４４の前面(下段ステージ部３７の前端)は、前記第１ステージ部材３６における上前壁部４０の前面(上段ステージ部３４,３５の前端)と略同一面に臨むよう構成され、前記上段ステージ部３４,３５の前端から遊技領域１８ａに直接排出されたパチンコ球Ｐは、下段ステージ部３７に直接移動するのは極めて困難になっている。
【００３６】
前記第２ステージ部材３８は、全体が光透過性の合成樹脂材により形成されて、後述する装飾カバー６２や下可動部材６０ａに配設した発光装置の発光によって明輝するよう構成される。なお、第２ステージ部材３８における下段ステージ部３７の下面や下前壁部４４の裏面には光拡散加工が施され、発光装置による発光演出効果を向上し得るよう構成される。
【００３７】
(下段ステージ部について)
前記下段ステージ部３７の上面であってパチンコ球Ｐが転動可能な第３球転動面３７ａは、第１の上段ステージ部３４における第１球排出部３４ｂの左右方向の中間位置から、第２の上段ステージ部３５における第２球排出部３５ｂの左右方向の中間位置までの間に亘る対応位置において左右方向に延在している。また第３球転動面３７ａは、上下方向に緩やかに起伏する波形に形成されて、該第３球転動面３７ａ上のパチンコ球Ｐは、上下方向に変位しながら左右に転動するようになっている。ここで、第３球転動面３７ａは、図６に示す如く、上方に突出した凸形状部分(山状の部分)が１箇所設けられると共に、下方に突出した凹形状部分(谷状の部分)を凸形状部分の左右両側部の２箇所に備えた起伏形状に形成されている。
【００３８】
前記第３球転動面３７ａには、図４または図５に示すように、各凹形状部分の最下部に、前側(遊技盤１７の盤面に対して直交する盤面前方)へ下方傾斜する第３球排出部(球排出部)３７ｂが夫々形成されている。この第３球排出部３７ｂは、前記始動入賞装置２３における始動入賞口２３ａの鉛直上方位置から左方または右方に偏倚しており、前記遊技領域１８ａにおいて始動入賞口２３ａとは異なる位置に向けてパチンコ球Ｐを排出するよう構成される。すなわち、第３球排出部３７ｂから遊技領域１８ａに排出されたパチンコ球Ｐの始動入賞口２３ａへの入賞確率は低くなっている。
【００３９】
また、前記第３球転動面３７ａおける凸形状部分の頂部に、前側へ下方傾斜する第４球排出部(球排出部)３７ｃが形成され、第３球転動面３７ａを転動するパチンコ球Ｐは、該第４球排出部３７ｃから遊技領域１８ａへ排出可能に構成される。この第４球排出部３７ｃは、前記始動入賞装置２３における始動入賞口２３ａの鉛直上方位置に位置しており、該第４球排出部３７ｃから遊技領域１８ａに排出されたパチンコ球Ｐは、始動入賞装置２３の始動入賞口２３ａに入賞し易くなっている。すなわち、下段ステージ部３７は、始動入賞装置２３の始動入賞口２３ａに向けてパチンコ球Ｐを排出可能な第４球排出部３７ｃを有することで、始動入賞装置２３の始動入賞口２３ａに向けてパチンコ球Ｐを排出可能な球排出部を有していない前記第１の上段ステージ部３４および第２の上段ステージ部３５より、始動入賞装置２３の始動入賞口２３ａへのパチンコ球Ｐの入賞確率が高くなっている。
【００４０】
(仕切部材について)
前記仕切部材３９は、図４または図５に示す如く、左右方向の所定幅で上下方向に延在する仕切板４５と、該仕切板４５の上端縁において前方へ突出する庇状部４６とから基本的に構成され、仕切板４５が前記装飾部材２６の固定板２６ｂにネジ止めされている。仕切板４５は、装飾部材２６に配設した状態で、前記下段ステージ部３７と上段ステージ部３４,３５との間の後端部を塞ぐと共に、第１の上段ステージ部３４および第２の上段ステージ部３５の後端を上方に向けて所定高さ延出し(図８,図９参照)、第１球転動面３４ａ、第２球転動面３５ａおよび第３球転動面３７ａ上を転動するパチンコ球Ｐの後方移動を規制するよう構成される。また、両上段ステージ部３４,３５より上方に延出する仕切板４５における左端部は、前記球導入部材３２に球出口３３の後側で連設されると共に、該仕切板４５における右端部は、前記右側規制壁２９の後端部に連設するよう構成される。これにより、球通路２８(球導入部材３２)の球出口３３から右側規制壁２９までの間において、パチンコ球Ｐがステージ２７より後方へ移動するのは規制される。なお、仕切板４５における下段ステージ部３７と上段ステージ部３４,３５との間を塞ぐ前面には、図１１に示す如く、前記第３球転動面３７ａの起伏形状に沿って案内突条４５ａが左右方向に延在するよう突設されている。この案内突条４５ａは、第３球転動面３７ａを転動するパチンコ球Ｐが接触可能な位置に設けられると共に、該案内突条４５ａに接触しているパチンコ球Ｐは、前記第３球排出部３７ｂや第４球排出部３７ｃの形成部位を左右方向に通過する位置で第３球転動面３７ａを転動するよう構成される。すなわち、案内突条４５ａに接触して第３球転動面３７ａ上を左右方向に転動しているパチンコ球Ｐの勢いが弱まった際には、該パチンコ球Ｐは第３球排出部３７ｂおよび第４球排出部３７ｃの何れかから遊技領域１８ａに排出され、パチンコ球Ｐが第３球転動面３７ａ上で滞留するのを防止するべく機能する。
【００４１】
前記庇状部４６は、左端部が前記球通路２８(球導入部材３２)の球出口３３の上方位置において前記規制片３２ａの右端部に連設すると共に、右端部が前記右側規制壁２９の上端部に連設するよう構成されている。そして、図８に示す庇状部４６の前端部から前記前枠１４に設けたガラス板１４ａまでの離間寸法Ｌは、パチンコ球Ｐの直径よりも小さく設定されており、該庇状部４６の前端部側から庇状部４６の上方へパチンコ球Ｐが移動しないよう構成される。すなわち、前記遊技領域１８ａを流下するパチンコ球Ｐが、前記遊技釘等との接触により弾かれてステージ２７側に移動した際に、該パチンコ球Ｐがステージ２７より後方へ移動するのを仕切板４５および庇状部４６で規制するようになっている。
【００４２】
前記仕切部材３９は、透明な合成樹脂材により形成され、前記仕切板４５を透して後側に配設される後述の下可動部材６０ａを視認可能に構成される。なお、仕切板４５における上段ステージ部３４,３５より下方に臨む裏面に光拡散加工が施され、後述する発光装置による発光演出効果を向上し得るよう構成される。
【００４３】
(連絡通路について)
前記第１ステージ部材３６には、図１０に示す如く、前記第２の上段ステージ部３５における第２球排出部３５ｂの前側において、左側(連結凸部４１側)に偏った位置で前方に向けて膨出する通路画成部６３が設けられ、該通路画成部６３に球入口４７ａが上方に向けて開設されている。この通路画成部６３には、前記右側の区画壁４０ｂより左側において前記第３球転動面３７ａの右端部前側で開口する球出口４７ｂが設けられている。そして、第２球排出部３５ｂから球入口４７ａに通入したパチンコ球Ｐは、通路画成部６３内に画成される連絡通路４７を通って球出口４７ｂから第３球転動面３７ａ上に通出するよう構成される。
【００４４】
前記下段ステージ部３７にパチンコ球Ｐを通出可能な連絡通路４７の球入口４７ａを、前記第２の上段ステージ部３５上に開口するよう構成したので、該第２の上段ステージ部３５上のパチンコ球Ｐが下段ステージ部３７に移動する確率は、下段ステージ部３７にパチンコ球Ｐを通出可能な専用の通路を設けていない前記第１の上段ステージ部３４上のパチンコ球Ｐが下段ステージ部３７へ移動する確率より高くなっている。
【００４５】
(球誘導通路について)
前記第１ステージ部材３６には、図１０に示す如く、前記第２の上段ステージ部３５における第２球排出部３５ａの前側において、右側(連結凸部４１から離間する側)に偏った位置で前記連絡通路４７の球入口４７ａと並んで球入口５２ａを上方に向けて開口する第１球誘導通路画成部４８が設けられている。この第１球誘導通路画成部４８は、前記右側の区画壁４０ｂより右側において後方に向けて出口が開口している。また前記仕切部材３９には、第１球誘導通路画成部４８の出口に対応する位置で前方に向けて入口を開口した第２球誘導通路画成部４９が設けられ、第１球誘導通路画成部４８の出口と第２球誘導通路画成部４９の入口とが連通している。すなわち、第２球排出部３５ａから球入口５２ａに通入したパチンコ球Ｐは、第１球誘導通路画成部４８内に画成される通路を通って第２球誘導通路画成部４９内に画成される通路に通入するよう構成される。
【００４６】
前記第２球誘導通路画成部４９は、図４または図５に示す如く、前記仕切板４５の前側に突出して前記入口を画成する略Ｕ字状の前通路壁４９ａと、該仕切板４５の後側に突出して後方に開放する後通路壁４９ｂと、該後通路壁４９ｂの後部開口を閉塞する蓋部材５０とから構成される。第２球誘導通路画成部４９における後通路壁４９ｂと蓋部材５０とで構成される部分は、ステージ２７の左右方向の略中央位置に向けて下方傾斜し、該傾斜下端で下方に向けて出口が開口している。また、前記装飾部材２６の下縁部における左右方向に中央位置には、図４または図８に示す如く、前端から後方に向けて所定長さで延在する樋部５１が設けられ、該樋部５１の後端部に前記第２球誘導通路画成部４９の出口が連通するよう接続される。この樋部５１は、前方に向けて下方傾斜すると共に、該樋部５１の前部は、前記第２ステージ部材３８の下前壁部４４に開設した球出口５２ｂに連通接続されている。すなわち、前記第１球誘導通路画成部４８内に画成される通路から第２球誘導通路画成部４９内に画成される通路に通入したパチンコ球Ｐは、樋部５１を流下して球出口５２ｂから前記遊技領域１８ａに排出されるようになっている。第２ステージ部材３８の下前壁部４４に開設した球出口５２ｂは、前記始動入賞装置２３における始動入賞口２３ａの鉛直上方位置に位置し、該球出口５２ｂから遊技領域１８ａに排出されたパチンコ球Ｐは、始動入賞口２３ａに高確率で入賞するよう構成される。実施例では、第１球誘導通路画成部４８、第２球誘導通路画成部４９および樋部５１から、球誘導通路５２が構成され、第１球誘導通路画成部４８の球入口５２ａが、球誘導通路５２の球入口として機能し、下前壁部４４の球出口５２ｂが、球誘導通路５２の球出口として機能する。
【００４７】
前記前通路壁４９ａの内底面には、左右幅方向の中央に後方に向けて下方傾斜する案内条４９ｃが突設され、球誘導通路５２を第１球誘導通路画成部４８側から第２球誘導通路画成部４９側へ移動したパチンコ球Ｐを、該案内条４９ｃによって後方に向けて案内するよう構成される。また、前記蓋部材５０の前面には、前記後通路壁４９ｂの右端部(傾斜上端側)に臨む位置に三角形状に形成された偏向突起５０ａが、前側を向く傾斜面を右側から左側に向けて傾斜する姿勢で設けられる。すなわち、球誘導通路５２を前通路壁４９ａ側から後通路壁４９ｂ側へ向けて後方に移動するパチンコ球Ｐの進路を、偏向突起５０ａの傾斜面で左方に向けて円滑に偏向するよう構成される。なお、蓋部材５０の前面には、球誘導通路５２内に臨む位置に、上下方向に離間して一対の突条５０ｂ,５０ｂが後通路壁４９ｂで画成される球誘導通路５２の傾斜に沿って左右方向に延在している。この突条５０ｂ,５０ｂは、後通路壁４９ｂに蓋部材５０を取付ける際に後通路壁４９ｂの上下内面に当接して、当該蓋部材５０を位置決めするべく機能する。
【００４８】
前記樋部５１には、前記第２球誘導通路画成部４９における出口との連通部に対応する位置に、左右方向に離間する一対の傾斜突起５１ａ,５１ａが突設されている。各傾斜突起５１ａの上側を向く傾斜面は、後側から前側に向けて下方傾斜するよう形成され、球誘導通路５２において第２球誘導通路画成部４９の出口から通出したパチンコ球Ｐの進路を、傾斜突起５１ａ,５１ａの傾斜面によって前側へ向けて円滑に偏向するよう構成される。なお、樋部５１や前記蓋部材５０は、何れも光透過性の合成樹脂材により形成されて、後述する装飾カバー６２や下可動部材６０ａに配設した発光装置の発光によって明輝するよう構成される。また蓋部材５０の裏面には光拡散加工が施され、発光装置による発光演出効果を向上し得るようになっている。
【００４９】
なお、前記通路画成部６３および第１球誘導通路画成部４８の各前端部は、前記庇状部４６における前端部の位置と略同一位置に臨むよう構成され(図８参照)、該通路画成部６３または第１球誘導通路画成部４８と前記ガラス板１４ａとの間にパチンコ球Ｐが嵌り込まないようになっている。
【００５０】
(規制部について)
前記第１ステージ部材３６には、前記第１の上段ステージ部３４と第２の上段ステージ部３５との連結部位である連結凸部４１の下面に、上方に向けて凹む凹部５３が形成されている。また第１ステージ部材３６の上前壁部４０における連結凸部４１に対応する位置に、装飾部品５４が配設される。この装飾部品５４は、図４または図５に示す如く、当該パチンコ機１０のモチーフに合わせた形状に形成された装飾部５４ａと、該装飾部５４ａの裏面から突出する固定用ボス５４ｂとから基本的に構成される。装飾部５４ａの裏面には、固定用ボス５４ｂを挟む左右両側に位置決めピン５４ｃが夫々突設され、該位置決めピン５４ｃを、前記上前壁部４０に設けた対応する位置決め孔４０ｃに前側から嵌挿することで、上前壁部４０に対して装飾部品５４が位置決めされる。また、前記仕切部材３９における仕切板４５には、凹部５３に対応する位置にネジ通孔４５ｂが形成され、該ネジ通孔４５ｂに後方から挿通したネジを固定用ボス５４ｂに設けたネジ孔に螺挿することで、装飾部品５４を定位置で固定するよう構成される。
【００５１】
前記装飾部品５４を位置決めピン５４ｃ,５４ｃおよび固定用ボス５４ｂで定位置に位置決め固定した状態で、該固定用ボス５４ｂは、図１１または図１２に示す如く、前記凹部５３おける下開口の左右方向の略中央位置において該凹部５３の前後方向に全長に亘って延在するよう設定される。そして、固定用ボス５４ｂと凹部５３における左右の開口縁部との隙間寸法は、パチンコ球Ｐの直径より小さくなるよう構成される。すなわち、前記連絡通路４７から第３球転動面３７ａ上に移動したパチンコ球Ｐ、または遊技領域１８ａから直接第３球転動面３７ａ上に移動したパチンコ球Ｐが、凹部５３に嵌り込んでしまうのを固定用ボス５４ｂで防止し得るようになっている。すなわち、実施例では、固定用ボス５４ｂが規制部として機能する。
【００５２】
前記固定用ボス５４ｂにおける下段ステージ部３７の第３球転動面３７ａに対向する下面には、後側から前側に向けて下方傾斜する傾斜面５４ｄが形成されている。すなわち、前記連絡通路４７から第３球転動面３７ａ上に移動したパチンコ球Ｐ、または遊技領域１８ａから直接第３球転動面３７ａ上に移動したパチンコ球Ｐが跳ねて固定用ボス５４ｂの傾斜面５４ｄに接触した際には、該パチンコ球Ｐを確実に下方に向けて跳ね返すことができ、前記凹部５３にパチンコ球Ｐが嵌り込むのを確実に防止し得る。
【００５３】
なお、前記第１の上段ステージ部３４および第２の上段ステージ部３５の下面には、図１２に示す如く、凹部５３の左右の開口縁の夫々に対応して、下方に突出する規制突条５５が該凹部５３の前後方向の全長に亘って設けられる。そして、固定用ボス５４ｂと凹部５３の左右の開口縁部との隙間寸法を規制突条５５,５５でより小さくして、凹部５３へのパチンコ球Ｐの嵌り込みを確実に防止するよう構成される。すなわち、実施例では、規制突条５５も規制部として機能するようになっている。
【００５４】
(裏ユニットについて)
前記裏ユニット１９は、図３に示すように、前方に開口する矩形箱状に形成された箱状本体５６と、該箱状本体５６の開口前端部に形成されて当該箱状本体５６の開口外側へ延出し、前記板部材１８の裏面に当接する取付部５７とから構成される。箱状本体５６は、前記板部材１８に対向する矩形板状に形成された対向面部５８と、該対向面部５８における上下左右の各縁部から前方に延出する画壁部(壁部)５９とから前方に開口するよう形成されて、各画壁部５９の前端部から箱状本体５６の開口外側へ向けて延出するよう前記取付部５７が形成されている。そして、取付部５７の前面を板部材１８の裏面に当接した状態で、ネジを介して板部材１８に裏ユニット１９が着脱自在に固定される。
【００５５】
前記対向面部５８に、上下および左右幅の大部分が開口する大型の前記開口部１９ａが形成されており、以下の説明において、対向面部５８における開口部１９ａに対する上下左右に位置する部分について、上対向面部５８ａ、下対向面部５８ｂ、左対向面部５８ｃ、右対向面部５８ｄと夫々指称するものとする。
【００５６】
前記板部材１８の裏側に裏ユニット１９を取付けた状態で、該裏ユニット１９の対向面部５８と板部材１８との間に所要の空間が画成され、裏ユニット１９の対向面部５８に設けられる前記可動演出装置６０,６１や各種の発光装置が該空間に臨むよう構成される。前記下対向面部５８ｂの前面には、裏側に発光装置を備える光透過性の装飾カバー６２が配設されている。装飾カバー６２は、前記仕切部材３９における仕切板４５の後側に臨んでおり、発光装置のＬＥＤを発光することで、装飾カバー６２および仕切板４５を介して前記ステージ２７を裏側から照らして発光演出を行ない得るよう構成される。なお、装飾カバー６２には光拡散加工が施され、ＬＥＤによる発光演出効果を向上すると共に、発光装置の前側からの視認性を困難にして、見栄えの低下を防止するようになっている。
【００５７】
(下可動演出装置について)
前記装飾カバー６２の前側に下可動演出装置６０が配設される。該下可動演出装置６０は、図３に示す如く、装飾カバー６２における右端部に回動支点を有する下可動部材６０ａを備え、該下可動部材６０ａを駆動機構(図示せず)によって第１位置と第２位置との間を揺動するよう構成されている。下可動部材６０ａは、裏ユニット１９における開口部１９ａの横幅寸法より長い長尺で大型の部材であって、実施例ではパチンコ機のモチーフに応じた刀を模した形状に形成されている。
【００５８】
前記下可動部材６０ａは、通常時には裏ユニット１９の開口下端縁に沿って左右方向に水平に延在する姿勢となる第１位置(図３の実線参照)に保持され、第１位置において下可動部材６０ａの前側には、前記上段ステージ部３４,３５から上方に延出する仕切板４５が位置するよう構成されて、該仕切板４５を介して下可動部材６０ａの一部が前側から視認可能に構成される。そして、下可動部材６０ａが第１位置から第２位置(図３の二点鎖線参照)に移動することで、前記装飾部材２６の窓口２６ａ内において図柄表示装置１３における表示部の前側略中央を斜めに横切るように該下可動部材６０ａが臨むよう構成される。実施例では、下可動部材６０ａの内部に発光装置が配設されると共に、該下可動部材６０ａの前面には複数の光透過部が形成され、発光装置のＬＥＤの光が光透過部を介して前側に照射可能に構成されている。すなわち、下可動部材６０ａの第１位置において、該下可動部材６０ａに内蔵の発光装置により行なわれる発光演出は、前記仕切板４５を介して前側から視認し得るようになっている。
【００５９】
前記裏ユニット１９の上対向面部５８ａ、左対向面部５８ｃおよび右対向面部５８ｄには、図示しないが複数の発光装置が配設され、各発光装置のＬＥＤを発光することにより、前記図柄表示装置１３における表示部の周囲を光により演出して遊技の興趣を向上し得るよう構成される。
【００６０】
(上可動演出装置について)
図１３〜図１６に示すように、前記上可動演出装置６１は、前記裏ユニット１９に配設される装置本体６５と、該装置本体６５に配設された駆動モータ(駆動手段)７９と、当該装置本体６５に所定範囲で往復移動し得るよう支持された上可動部材８０と、該駆動モータ７９および上可動部材８０を接続して駆動モータ７９の駆動力を上可動部材８０に伝達する駆動伝達手段９５とを備えている。そして、前記制御装置に対して前記駆動モータ７９が配線接続されており、該制御装置からの制御信号に基づいて駆動モータ７９を駆動することで、前記駆動伝達手段９５を介して前記上可動部材８０が往復移動するよう構成される。ここで、実施例の上可動部材８０は、後述するように初期位置(第１の折返し位置)および可動位置(第２の折返し位置)の間を往復回転するよう構成される。なお、実施例では、前記駆動モータ７９としてステッピングモータが採用されている。
【００６１】
(装置本体について)
前記装置本体６５は、図１５、図１６に示すように、前記裏ユニット１９の対向面部５８(上対向面部５８ａ)に固定される後側ケース部材６６と、該後側ケース部材６６の前側に配設される前側ケース部材６９とから構成されて、該前後のケース部材６６,６９をネジ止めすることで、前記駆動伝達手段９５を収容する空間部６５ａが内部画成される。すなわち、前記後側ケース部材６６は、前記裏ユニット１９の対向面部５８に対向する平板状の後板部６７と、該後板部６７の外周縁から前方へ延出する後側外周壁部６８とを備えると共に、前記前側ケース部材６９は、該後側ケース部材６６の後板部６７に対向する前板部７０と、該前板部７０の外周縁から後方へ延出する前側外周壁部７１とを備えて、当該前板部７０の適宜位置に形成されたネジ通孔７０ａに挿通したネジを後板部６７に形成されたネジ孔６７ａに螺挿することで、両ケース部材６６,６９が前記空間部６５ａを内部画成するよう組み付けられる。
【００６２】
ここで、前記後側外周壁部６８および前側外周壁部７１は、前記前後のケース部材６６,６９を組み付けた際に相互に干渉しない位置に形成されており、両ケース部材６６,６９を組み付けた際に装置本体６５の外周面を構成するようになっている(図１４参照)。なお、実施例の上可動演出装置６１では、前記後側ケース部材６６の後側外周壁部６８が装置本体６５の上面および右側面を形成すると共に、前記前側ケース部材６９の前側外周壁部７１が装置本体６５の下面および左側面を形成している。また、前記装置本体６５の右側面(すなわち後側外周壁部６８において装置本体６５の右側面を画成する部位)に、前記空間部６５ａを装置外部に連通する操作窓７３が形成されている。前記操作窓７３には、前記駆動伝達手段９５を構成する駆動歯車９６の一部分が臨むよう構成されており、該操作窓７３を介して装置本体６５の外部から駆動歯車９６を直接回転操作し得るようになっている。
【００６３】
図１５に示すように、前記前側ケース部材６９の前板部７０には、前面右側部に前後に駆動軸挿通孔７２ａが形成されたモータ設置部７２が形成されている。そして、前記駆動軸挿通孔７２ａに駆動軸７９ａを前方から挿通した姿勢で前記駆動モータ７９が前記モータ設置部７２に取付けられると共に、該駆動軸７９ａに対して前記空間部６５ａ内で駆動歯車９６が固定されている。更に、前記前側ケース部材６９の前板部７０には、左右方向に離間する位置に、前後方向に軸孔７４ａ,７５ａが貫通する筒状部７４,７５が前方へ突出するよう形成されており、モータ設置部７２に近接する右側位置の第１筒状部７４の軸孔７４ａに、前記駆動伝達手段９５を構成する従動歯車９７に連結した支軸９８が回転可能に挿通されると共に、左側位置の第２筒状部７５の軸孔７５ａに、前記上可動部材８０に連結された回転軸８１が回転可能に挿通されている。
【００６４】
また、図１５、図１７に示すように、前記装置本体６５の上面側(後側ケース部材６６の後側外周壁部６８)には、前記駆動伝達手段９５を構成する従動歯車９７に設けられた位置検出片１０１の回転領域に臨むよう第１規制部(規制手段)７６および第２規制部(規制手段)７７が形成されている。すなわち、前記駆動伝達手段９５の従動歯車９７が回転した際に、第１規制部７６および第２規制部７７に位置検出片１０１が当接することで従動歯車９７の回転を規制して、上可動部材８０の移動を規制するようになっている。また、前記装置本体６５(後側ケース部材６６の後板部６７)には、前記制御装置に配線接続された位置検出センサ(検出手段)７８が設置されている。前記位置検出センサ７８は、前後に離間するよう発光部７８ａおよび受光部７８ｂを備えた光学式のフォトセンサであって、前記従動歯車９７の回転に伴って発光部７８ａと受光部７８ｂとの間に位置検出片１０１が臨むことにより当該位置検出センサ７８が位置検出片１０１を検出(ＯＮ状態)し、発光部７８ａと受光部７８ｂとの間から位置検出片１０１が退避することにより当該位置検出センサ７８が位置検出片１０１を非検出(ＯＦＦ状態)になるよう構成されている。
【００６５】
(上可動部材について)
図１６、図１８、図１９に示すように、前記上可動部材８０は、前記回転軸８１が連結されると共に該回転軸８１の径方向に延在する棒状に形成された可動体本体８２と、該可動体本体８２の内部に画成された収容空間(図示せず)に収容され、前方へ光を照射するＬＥＤ８６ａを有するＬＥＤ基板８６と、該可動体本体８２の基端部側に設けられた可動体装飾部材９０とを備え、上可動部材８０の全体で所要の装飾形態(実施例では、所謂「十手」状の形態)に形成されている。なお、前記可動体本体８２は、光透過性の合成樹脂材により形成されており、前記収容空間に収容されたＬＥＤ基板８６のＬＥＤ８６ａからの光を前方へ透過させ得るようになっている。
【００６６】
前記可動体本体８２は、図１８、図１９に示すように、後方に開口する前側半体８３と、該前側半体８３の後方開口を塞ぐ形状に形成された後側半体８５とから構成されており、該前後の半体８３,８５を組み付けることで、前記収容空間(図示せず)が内部画成されている。なお、前記前側半体８３および後側半体８５は、該後側半体８５の長手方向の両端部に形成したネジ通孔８５ａに挿通したネジを前側半体８３に形成したネジ孔８３ａ螺挿して固定するようになっている。また、図１９に示すように、前記前側半体８３の基端部側には、後方に嵌合孔８４ａが開口する嵌合部８４が後方へ突出するよう形成されており、該嵌合部８４の嵌合孔８４ａに前記回転軸８１の前端部を嵌入して、該回転軸８１および上可動部材８０が一体回転し得るよう連結される。なお、前記後側半体８５には、前記嵌合部８４と前後に整列する位置に前後に開口する回転軸挿通孔８５ｂが形成されており、該回転軸挿通孔８５ｂを介して嵌合部８４の嵌合孔８４ａに連結した回転軸８１が後方へ突出するようになっている。
【００６７】
また、前記前側半体８３および後側半体８５の間には、透明な合成樹脂材により形成された光拡散部材８７が設けられている。前記光拡散部材８７は、前記前側半体８３の後方開口に嵌合する形状に形成されており、前側半体８３および後側半体８５を組み付けた際に、両半体８３,８５に光拡散部材８７が挟持されるようになっている。また、前記光拡散部材８７は、後方に開口するよう形成されており、該光拡散部材８７の後方開口に前記ＬＥＤ基板８６が収容されるよう構成されている。そして、前記前側半体８３および光拡散部材８７におけるＬＥＤ基板８６との対向面側(すなわち前側半体８３および光拡散部材８７の夫々の後面側)には、幅方向に延在する多数の溝状部が形成されており、該ＬＥＤ基板８６のＬＥＤ８６ａを発光させた際に、溝状部で拡散された光が光拡散部材８７を透過して、上可動部材８０の前面全体が明輝するようになっている。なお、前記ＬＥＤ基板８６は、前記上可動部材８０の自由端部側に形成したネジ通孔８６ｂに挿通したネジを後側半体８５のネジ孔８５ｃに螺挿することで固定されている。
【００６８】
前記可動体装飾部材９０は、図１８、図１９に示すように、前記可動体本体８２(前側半体８３)の基端部前面を覆う前側装飾体９１と、該可動体本体８２(後側半体８５)の基端部後面を覆う後側装飾体９３とからなり、該可動体装飾部材９０により前記嵌合部８４に連結された回転軸８１の前端部を視認不能に被覆するようになっている。前記前側装飾体９１は、前記可動体本体８２を挟む位置に、後端部にネジ孔９２ａを有する固定軸９２が後方へ突出するよう夫々形成されており、各ネジ孔９２ａに対応するよう前記後側装飾体９３に形成されたネジ通孔９３ａに挿通したネジをネジ孔９２ａに螺挿することで、前側装飾体９１と後側装飾体９３とが固定されている。ここで、前記可動体本体８２(前後の半体８３,８５)には、前記固定軸９２と対応する位置に前後方向に延在する係合凹部８８,８８が形成されており、前側装飾体９１および後側装飾体９３を固定した際に固定軸９２が係合凹部８８,８８に係合して、可動体本体８２に対して可動体装飾部材９０が位置決めおよび固定されるようになっている。
【００６９】
(駆動伝達手段について)
図１５、図１６に示すように、前記駆動伝達手段９５は、前記駆動モータ７９の駆動軸７９ａに取付けられる駆動歯車９６と、該駆動歯車９６に噛合する従動歯車９７と、該従動歯車９７を前記上可動部材８０(回転軸８１)に接続するアーム部材１０３とから構成されて、該駆動歯車９６および従動歯車９７、アーム部材１０３が前記装置本体６５の空間部６５ａ内で接続するよう構成されている。すなわち、前記駆動モータ７９の駆動に伴って前記駆動歯車９６が回転することで前記従動歯車９７が回転され、該従動歯車９７の回転に伴って前記アーム部材１０３を介して前記上可動部材８０が回転軸８１を中心に回転されるようになっている。なお、前記駆動歯車９６および従動歯車９７は平歯車が採用されている。
【００７０】
(従動歯車について)
図１５〜図１７に示すように、前記従動歯車９７には、中心位置に軸孔９７ａが形成されており、該従動歯車９７の軸孔９７ａに前方へ突出するよう連結された支軸９８が前記装置本体６５(前側ケース部材６９)の第１筒状部７４の軸孔７４ａに回転可能に挿通されている。なお、前記支軸９８には、前記第１筒状部７４との間に軸受け部材１００が介装されており、該支軸９８(従動歯車９７)の回転を円滑に行ない得るようになっている。前記第１筒状部７４に挿通された前記支軸９８は、前記装置本体６５(前側ケース部材６９)の前方へ突出した突出端部に留め具９９が取付けられており、前記従動歯車９７の後面と前記後側ケース部材６６(後板部６７)とが一定間隔離間する状態で従動歯車９７が保持されている。また、前記従動歯車９７の後面には、前記支軸９８の枢支位置から偏倚した位置に、後方へ突出するよう作動軸１０２が突設されており、該作動軸１０２に前記アーム部材１０３が連繋接続するよう構成される。すなわち、前記アーム部材１０３は、前記従動歯車９７と後側ケース部材６６(後板部６７)との間に位置している。
【００７１】
また、前記従動歯車９７の外周後端縁には、前記位置検出センサ７８に検出されて上可動部材８０の位置基準としての指標となる位置検出片(指標手段)１０１が径方向外方へ延出するよう設けられている。すなわち、前記従動歯車９７の回転に伴って前記位置検出センサ７８の発光部７８ａと受光部７８ｂの間に前記位置検出片１０１が移動することで、該位置検出センサ７８が位置検出片１０１を検出するＯＮ状態(図１７(b)、図２１、図２２参照)となり、該従動歯車９７の回転に伴って発光部７８ａと受光部７８ｂの間から位置検出片１０１が退避することで、該位置検出センサ７８が位置検出片１０１を非検出となるＯＦＦ状態(図１７(a)、図２０参照)となるよう構成されており、該位置検出センサ７８による位置検出片１０１の検出状態が切り替わることで、従動歯車９７に連動して動作する上可動部材８０の位置基準としての機能している。なお、前記位置規制片は、前記支軸９８を中心とした所定の角度範囲(実施例では約１４０°)に亘って延在している。
【００７２】
また、図１７、図２０〜図２２に示すように、前記位置検出片１０１の回転軌跡中に前記装置本体６５(後側ケース部材６６)に形成された前記第１規制部７６および第２規制部７７の夫々が臨むよう構成されている。具体的には、前記駆動モータ７９の駆動に伴って従動歯車９７が図１７の時計周りに回転された際に、前記位置検出片１０１の回転方向前となる端部が前記第１規制部７６に当接すると共に、駆動モータ７９の駆動に伴って従動歯車９７が図１７の反時計回りに回転した際に、位置検出片１０１の回転方向前側となる端部が前記第２規制部７７に当接するよう構成されている。すなわち、前記従動歯車９７は、前記駆動モータ７９の駆動に伴って前記位置検出片１０１が第１規制部７６に当接する位置(図１７(a)、図２０参照)と、該位置検出片１０１が第２規制部７７に当接する位置(図１７(b)、図２２参照)との間を往復し、前記アーム部材１０３を介して従動歯車９７に接続する前記上可動部材８０も所定範囲で回転するようになっている。
【００７３】
ここで、以下の説明では、図１７(a)、図２０に示すように前記第１規制部７６に位置検出片１０１が当接する従動歯車９７の回転位置を第１位置と指称すると共に、該第１位置に対応する上可動部材８０の回転位置を初期位置(第１の折返し位置)と指称する(図３の実線参照)。また、図１７(b)、図２２に示すように前記第２規制部７７に位置検出片１０１が当接する従動歯車９７の回転位置を第２位置と指称すると共に、第２位置に対応する上可動部材８０の回転位置を可動位置(第２の折返し位置)と指称するものとする(図３の二点鎖線参照)。すなわち、前記第２位置から第１位置に移動した位置検出片１０１が第１規制部７６に当接して前記従動歯車９７の回転が規制されるのに伴い前記上可動部材８０が初期位置で移動規制されると共に、第１位置から第２位置に移動した位置検出片１０１が第２規制部７７に当接することで従動歯車９７の回転が規制されるのに伴い上可動部材８０が可動位置で移動規制されるようになっている。なお、上可動部材８０は、初期位置にある状態では回転軸８１から右下方に向けて裏ユニット１９の開口右端縁に沿って上下方向に延在する姿勢に保持され、初期位置から可動位置に移動することで回転軸８１から左下方に向けて前記装飾部材２６の窓口２６ａ内において図柄表示装置１３における表示部の前側略中央を斜めに横切るよう構成してある。
【００７４】
ここで、前記位置検出片１０１は、前記従動歯車９７の外周後端縁に１箇所だけ形成されると共に、従動歯車９７が第１位置と第２位置との間を回転した際に、前記位置検出センサ７８による検出状態が１度だけ切り替わるよう構成されている。具体的には、図１７(c)、図２１に示すように、前記従動歯車９７(位置検出片１０１)が前記第１規制部７６に当接する第１位置にある状態では、前記位置検出センサ７８がＯＦＦ状態となるよう構成されると共に、該従動歯車９７(位置検出片１０１)が前記第２規制部７７に当接する第２位置にある状態では、位置検出センサ７８がＯＮ状態となるよう構成されている。すなわち、前記従動歯車９７の回転に伴って前記位置検出片１０１が前記第１位置および第２位置の間を移動する間に、前記位置検出センサ７８による位置検出片１０１の検出状態が切り替わると共に、検出状態が切り替わる切替位置から第１位置に向けて位置検出片１０１(従動歯車９７)が移動する間は、該位置検出センサ７８の検出状態が常にＯＦＦ状態を保持し、切替位置から第２位置に向けて位置検出片１０１(従動歯車９７)が移動する間は、該位置検出センサ７８の検出状態が常にＯＮ状態を保持するようになっている。
【００７５】
なお、実施例では、前記従動歯車９７(位置検出片１０１)が第２位置から第１位置に至る途中で、前記位置検出センサ７８の検出状態がＯＮからＯＦＦに切り替わり、この検出状態が切り替わる切替位置から従動歯車９７(位置検出片１０１)が時計回りに回転するよう駆動モータ７９を所定ステップ分だけ駆動することで、従動歯車９７(位置検出片１０１)が第１位置に到達し、検出状態が切り替わる切替位置から従動歯車９７(位置検出片１０１)が反時計回りに回転するよう駆動モータ７９を所定ステップ分だけ駆動することで、従動歯車９７(位置検出片１０１)が第２位置に到達するようになっている(図１７、図２０〜図２２参照)。換言すれば、前記位置検出センサ７８の検出状態がＯＮからＯＦＦに切り替わる切替位置を基準として、駆動モータ７９の回転方向および駆動ステップ数を制御することで、上可動部材８０を任意位置まで回転させ得る。
【００７６】
(アーム部材について)
図１５、図１６、図２０〜図２２に示すように、前記アーム部材１０３は、前記第２筒状部７５に挿通された前記回転軸８１の後端部に固定されると共に、該回転軸８１の径方向(直交方向)に延在するよう構成されて、当該回転軸８１を介して前記上可動部材８０とアーム部材１０３とが一体的に回転するよう構成されている。そして、前記アーム部材１０３には、前後に貫通する作動孔１０３ａがアーム部材１０３の長手方向に所定長さに亘って延在するよう形成されて、前記従動歯車９７に形成された作動軸１０２が作動孔１０３ａに後方から挿入されている。すなわち、前記駆動モータ７９の駆動に伴って従動歯車９７が回転することで前記作動軸１０２が支軸９８を中心にして回転移動し、該作動軸１０２の回転移動に伴って前記回転軸８１を中心に前記アーム部材１０３が回転するようになっている。
【００７７】
また、前記従動歯車９７が第１位置にある(上可動部材８０が初期位置にある)状態では、図２０に示すように、前記アーム部材１０３を揺動可能に支持する回転軸８１を中心として前記作動孔１０３ａと作動軸１０２との接触点の回転方向が、従動歯車９７の回転に伴った作動軸１０２の回転方向に略直交するよう設定されている。換言すると、前記上可動部材８０が初期位置にある状態では、前記回転軸８１から支軸９８までの距離と、該回転軸８１から作動軸１０２までの距離とが略一致して、アーム部材１０３を直接操作したとしても、従動歯車９７の周方向へ力が作用しないか、あるいは周方向へ作用する力が極めて小さくなるようになっている。すなわち、前記従動歯車９７が第１位置(上可動部材８０が初期位置)にある場合では、上可動部材８０に対して直接揺動させる力が作用しても前記従動歯車９７が第１位置に保持される。そして、前記駆動モータ７９を駆動した場合や、直接的な操作により従動歯車９７を回転させた場合にのみアーム部材１０３が揺動されて上可動部材８０を可動位置に向けて移動させ得るようになっている。なお、実施例では、前記操作窓７３を介して装置外部に露出する駆動歯車９６を操作することで、駆動モータ７９を駆動することなく従動歯車９７を直接的に回転させることができる。
【００７８】
また、実施例の上可動演出装置６１では、前記従動歯車９７が第２位置にある(上可動部材８０が可動位置にある)状態でも、前記アーム部材１０３を揺動可能に支持する回転軸８１を中心として前記作動孔１０３ａと作動軸１０２との接触点の回転方向が、従動歯車９７の回転に伴った作動軸１０２の回転方向に略直交するよう設定されている(図２２参照)。すなわち、従動歯車９７が第１位置にある場合と同様に、前記上可動部材８０が可動位置にある状態では、前記回転軸８１から支軸９８までの距離と、該回転軸８１から作動軸１０２までの距離とが略一致して、アーム部材１０３を直接操作しても従動歯車９７の周方向へ力が作用しないか、あるいは周方向へ作用する力が極めて小さくなるよう構成されている。従って、前記従動歯車９７が第２位置(上可動部材８０が可動位置)にある場合では、上可動部材８０に対して直接揺動させる力が作用しても前記従動歯車９７が第２位置に保持される。そして、前記駆動モータ７９を駆動した場合や、直接的な操作により従動歯車９７を回転させた場合にのみアーム部材１０３が揺動されて上可動部材８０を初期位置に向けて移動させ得るようになっている。
【００７９】
一方で、前記上可動部材８０が初期位置と可動位置の間にある状態(図２１参照)では、前記回転軸８１から支軸９８までの距離よりも、該回転軸８１から作動軸１０２までの距離の方が長くなるよう設定されており、アーム部材１０３を直接揺動させる力が作用した場合に、従動歯車９７の周方向へ力が作用してアーム部材１０３を揺動させ得るようになっている。従って、前記上可動部材８０が初期位置と可動位置の間にある状態では、前記駆動モータ７９を駆動した場合や、直接的な操作により従動歯車９７を回転させた場合に限らず、アーム部材１０３に対して直接揺動させる力を作用することでも上可動部材８０を初期位置および可動位置に向けて移動させ得る。
【００８０】
〔実施例の作用〕
次に、前述のように構成された実施例に係るパチンコ機の作用について説明する。
【００８１】
前記遊技領域１８ａに打ち出されたパチンコ球Ｐは、前記装飾部材２６の外周囲を流下し、該パチンコ球Ｐが前記球入口３０に通入すると、該パチンコ球Ｐは球通路２８を通って球出口３３から前記ステージ２７における前記第１の上段ステージ部３４上に通出される。このパチンコ球Ｐは、前記第１球転動面３４ａを左端から右端に向けて転動し、該パチンコ球Ｐの勢いの強・弱によって、前記第２の上段ステージ部３５に移動したり、または第２の上段ステージ部３５に移動することなく第１の上段ステージ部３４の第１球転動面３４ａを左右に転動するものとに分かれる。すなわち、第１の上段ステージ部３４上に通出された際のパチンコ球Ｐの勢いが弱い場合は、第１球転動面３４ａを左端から右端に向けて転動したパチンコ球Ｐが前記連結凸部４１を越えることができず、第１球転動面３４ａを右端から左端に向けて戻ることで更に勢いが弱くなり、該第１球転動面３４ａ上を左右に転動した後に、最終的に前記第１球排出部３４ｂから前記遊技領域１８ａに排出される。前述したように第１球排出部３４ｂは、前記始動入賞装置２３の始動入賞口２３ａとは異なる位置に向けてパチンコ球Ｐを排出する位置に設けられているので(図２参照)、該第１球排出部３４ｂから遊技領域１８ａに排出されたパチンコ球Ｐの始動入賞口２３ａへの入賞確率は低い。なお、前記球出口３３から第１の上段ステージ部３４上に通出されるパチンコ球Ｐの通出方向によっては、第１球転動面３４ａにおける第１球排出部３４ｂ以外の部分から遊技領域１８ａに排出される場合もある。また、第１球排出部３４ｂの前端から遊技領域１８ａに排出されたパチンコ球Ｐは、前述したように第１の上段ステージ部３４の前端が下段ステージ部３７の前端と略同一面に臨むよう構成されていることから、該第１の上段ステージ部３４の前端から遊技領域１８ａに排出されたパチンコ球Ｐが、前記下段ステージ部３７に移動する確率は極めて低くなっている。
【００８２】
これに対し、前記第１の上段ステージ部３４上に通出された際のパチンコ球Ｐの勢いが強い場合は、前記第１球転動面３４ａを左端から右端に向けて転動したパチンコ球Ｐが前記連結凸部４１を越えて第２の上段ステージ部３５に移動する。そして、前記第２球転動面３５ａを左端から右端に転動したパチンコ球Ｐは、該第２球転動面３５ａの右端部の傾斜によって左端に向けて転動し、このときのパチンコ球Ｐの勢いによっては再び第１の上段ステージ部３４に移動することもある。但し、実施例では前記連結凸部４１を構成する第２球転動面３５ａの左端部の曲率を大きく設定してあるから、第１の上段ステージ部３４に移動するのは抑制される。すなわち、第１の上段ステージ部３４から第２の上段ステージ部３５に一旦移動したパチンコ球Ｐは、殆ど第１の上段ステージ部３４に戻ることなく第２の上段ステージ部３５の第２球転動面３５ａを左右方向に転動する。そして、勢いが弱くなったパチンコ球Ｐは、最終的に前記第２球排出部３５ｂから図１０に示す連絡通路４７の球入口４７ａまたは球誘導通路５２の球入口５２ａの何れかに通入する。なお、前記第２球転動面３５ａを左右方向に転動するパチンコ球Ｐにおいても、転動中において前記仕切板４５に対する接触等による転動方向の変化によっては、第２球排出部３５ｂ以外の部分から遊技領域１８ａに排出される場合もある。
【００８３】
前記連絡通路４７の球入口４７ａに通入したパチンコ球Ｐは、前記下段ステージ部３７の右端部に球出口４７ｂから通出し、前記第３球転動面３７ａを左右に転動するようになる。そして、第３球転動面３７ａを左右に転動するパチンコ球Ｐの勢いの違いによって、前記第３球排出部３７ｂまたは第４球排出部３７ｃの何れかからパチンコ球Ｐが前記遊技領域１８ａに排出される。第３球排出部３７ｂは、前記始動入賞装置２３の始動入賞口２３ａとは異なる位置に向けてパチンコ球Ｐを排出する位置に設けられており、該第３球排出部３７ｂから遊技領域１８ａに排出されたパチンコ球Ｐの始動入賞口２３ａへの入賞確率は低い。これに対し、第４球排出部３７ｃは、前記始動入賞装置２３の始動入賞口２３ａに向けてパチンコ球Ｐを排出する位置に設けられており、該第４球排出部３７ｃから遊技領域１８ａに排出されたパチンコ球Ｐの始動入賞口２３ａへの入賞確率は高く、遊技者はパチンコ球Ｐが第４球排出部３７ｃから遊技領域１８ａに排出されることを期待して遊技を行なっている。
【００８４】
また、前記第２の上段ステージ部３５の第２球排出部３５ｂからパチンコ球Ｐが球誘導通路５２の球入口５２ａに通入すると、該パチンコ球Ｐは球誘導通路５２を通って球出口５２ｂから前記遊技領域１８ａに排出される。球誘導通路５２の球出口５２ｂは、前記始動入賞装置２３の始動入賞口２３ａに向けてパチンコ球Ｐを排出する位置に設けられているから、該球出口５２ｂから遊技領域１８ａに排出されたパチンコ球Ｐの始動入賞口２３ａへの入賞確率は高く、遊技者はパチンコ球Ｐが第２の上段ステージ部３５から球誘導通路５２の球入口５２ａに通入することを期待している。なお、球入口５２ａから球誘導通路５２に通入したパチンコ球Ｐは、前記案内条４９ｃ、偏向突起５０ａおよび傾斜突起５１ａ,５１ａ等によって球誘導通路５２に沿って円滑に流通するよう構成されているから、該球誘導通路５２内で球詰りが発生することなくパチンコ球Ｐを遊技領域１８ａに排出し得る。
【００８５】
前記ステージ２７から排出されたパチンコ球Ｐが始動入賞装置２３の始動入賞口２３ａに入賞すると、前記図柄表示装置１３の図柄が変動開始され、所要の図柄組合わせゲームが展開される。図柄表示装置１３で展開される図柄変動ゲームの結果、図柄表示装置１３に所定の図柄組合わせで図柄が停止表示されたときに大当りが発生する。そして、大当りが発生すると、図柄表示装置１３に表示された図柄組み合わせに応じて、前記遊技盤１７の下方に設けられた特別入賞装置２４の入賞口２４ａが開放され、多数の賞球の獲得が可能となる。
【００８６】
前記図柄表示装置１３で展開される図柄変動ゲームの演出に応じて、前記可動演出装置６０,６１が作動制御されて、各可動部材６０ａ,８０が作動されて動的な演出により遊技の興趣が高められる。また、遊技盤１７に配設されている各種発光装置のＬＥＤが、図柄変動ゲームの演出に応じて発光制御されて、発光による演出により遊技の興趣が向上される。
【００８７】
前記下可動部材６０ａは、図３に実線で示す第１位置においては、前記裏ユニット１９の開口下端縁に沿って左右方向に水平に延在し、この状態で該下可動部材６０ａの一部は、前記装飾部材２６における窓口２６ａ内の下部に設けた前記仕切板４５の後側に臨んでいる。この状態で、下可動部材６０ａに内蔵した発光装置のＬＥＤからの光は、光透過部を介して仕切板４５に照射される。該仕切板４５は透明に形成されているから、下可動部材６０ａに内蔵の発光装置により行なわれる発光演出は、仕切板４５を介して前側から視認でき、発光による演出効果を向上し得る。すなわち、遊技者が注目する前記ステージ２７の周囲を発光演出することができる。また、下可動部材６０ａが第２位置に移動した際には、前記装飾カバー６２の裏側に配設した発光装置のＬＥＤからの光によって、仕切板４５を介してステージ２７全体を照明することができ、演出効果を向上し得る。
【００８８】
前述したように、実施例のステージ２７では、遊技領域１８ａへ排出するパチンコ球Ｐの始動入賞装置２３における始動入賞口２３ａへの入賞確率が高い第４球排出部３７ｃを有する下段ステージ部３７の上側に、該下段ステージ部３７へパチンコ球Ｐが移動する確率が異なる第１の上段ステージ部３４と第２の上段ステージ部３５とを並設したから、前記球通路２８の球出口３３から通出したパチンコ球Ｐの動きに対する遊技者の関心を高めることができる。すなわち、ステージ２７上に到来したパチンコ球Ｐが始動入賞装置２３の始動入賞口２３ａに入賞するか否かだけでなく、球通路２８の球出口３３から通出したパチンコ球Ｐが第２の上段ステージ部３５に移動するか否か、に対しても遊技者の関心を集めることができ、ステージ２７上で転動するパチンコ球Ｐの動きに対する関心を高めることができる。
【００８９】
ここで、前記下段ステージ部３７では、始動入賞口２３ａへの入賞確率が高い第４球排出部３７ｃと入賞確率が低い第３球排出部３７ｂとが設けられ、前記第３球転動面３７ａを転動するパチンコ球Ｐは第３球排出部３７ｂまたは第４球排出部３７ｃに振分けられるよう構成されているから、第２の上段ステージ部３５から下段ステージ部３７にパチンコ球Ｐが移動したとしても、該パチンコ球Ｐが始動入賞口２３ａへの入賞確率が高い第４球排出部３７ｃから排出されるとは限らない。これに対し、第２の上段ステージ部３５上に球入口５２ａを開口する球誘導通路５２の球出口５２ｂは、前述したように該球出口５２ｂから排出されたパチンコ球Ｐの始動入賞口２３ａへの入賞確率は高くなっており、遊技者は、第２の上段ステージ部３５の第２球転動面３５ａを転動するパチンコ球Ｐが球誘導通路５２の球入口５２ａに通入することを期待する。すなわち、ステージ２７上に到来したパチンコ球Ｐが第２の上段ステージ部３５に移動するか否かだけでなく、第２の上段ステージ部３５に到来したパチンコ球Ｐが連絡通路４７また球誘導通路５２の何れに通入するかに対しても遊技者の関心を集めることができ、ステージ２７上で転動するパチンコ球Ｐの動きに対する関心を長い時間に亘って保つことができる。
【００９０】
更に、前記第１および第２の上段ステージ部３４,３５の連結部位である連結凸部４１の下面側に形成される凹部５３には、該凹部５３における下開口の左右方向の略中央位置に、前記装飾部品５４の固定用ボス５４ｂが臨み、該固定用ボス５４ｂによって下段ステージ部３７に移動したパチンコ球Ｐが凹部５３に嵌り込むのを防止することができる。すなわち、パチンコ球Ｐを立体的に転動させるために上段のステージ部３４,３５の球転動面３４ａ,３５ａを全体として波形状に形成した場合において、上段のステージ部３４,３５と下段ステージ部３７とを近接させても、パチンコ球Ｐが凹部５３に嵌り込むのを防止することができる。従って、ステージ２７上でのパチンコ球Ｐの動きに興趣のある変化を与えることができるステージ２７を採用しつつ、前記装飾部材２６における窓口２６ａの上下開口幅を大きくして、図柄表示装置１３の大型化に対応し得る。なお、実施例では凹部５３へのパチンコ球Ｐの嵌り込みを防止する規制部として装飾部品５４をステージ２７に固定するための固定用ボス５４ｂを利用しているから、専用の規制部を設ける場合に比して構成を簡略化し得ると共に製造コストを抑えることができる。
【００９１】
また、前記固定用ボス５４ｂの下面には傾斜面５４ｄが形成されているから、前記連絡通路４７から第３球転動面３７ａ上に移動したパチンコ球Ｐ、または遊技領域１８ａから直接第３球転動面３７ａ上に移動したパチンコ球Ｐが跳ねて固定用ボス５４ｂの傾斜面５４ｄに接触した際には、該パチンコ球Ｐを確実に下方に向けて跳ね返すことができ、前記凹部５３にパチンコ球Ｐが嵌り込むのを確実に防止し得る。なお、実施例では前記第１の上段ステージ部３４および第２の上段ステージ部３５の下面に突設した規制突条５５,５５により固定用ボス５４ｂと凹部５３の左右の開口縁部との隙間寸法をより小さくするよう構成してあるから(図１２参照)、凹部５３へのパチンコ球Ｐの嵌り込みは勿論、該固定用ボス５４ｂと上段ステージ部３４,３５の下面との間へのパチンコ球Ｐの嵌り込みも防止することができる。
【００９２】
前記ステージ２７では、第１および第２の上段ステージ部３４,３５の各球転動面３４ａ,３５ａを転動するパチンコ球Ｐの後方への移動は前記仕切板４５により防止される。また仕切板４５の上端縁に設けた前記庇状部４６の前端部と前記ガラス板１４ａとの離間寸法Ｌをパチンコ球Ｐの直径よりも小さく設定しているから、庇状部４６の前端部側から庇状部４６の上方へパチンコ球Ｐが移動することはない。すなわち、前記遊技領域１８ａを流下するパチンコ球Ｐが、前記遊技釘等との接触により弾かれてステージ２７側に移動した際に、該パチンコ球Ｐがステージ２７より後方へ移動するのを仕切板４５および庇状部４６で規制することができる。従って、ステージ２７と図柄表示装置１３の表示部との間に下可動演出装置６０の下可動部材６０ａを配設しても、該下可動部材６０ａの動作をパチンコ球Ｐが阻害することはなく、遊技者の関心の高いステージ２７の後方において動作による演出を行なって興趣を高めることができる。
【００９３】
次に、前記上可動演出装置６１について説明する。前記上可動部材８０が初期位置(従動歯車９７が第１位置)にある状態で前記従動歯車９７を第１位置から第２位置に向けて回転するよう前記上可動演出装置６１の駆動モータ７９が駆動されると、前記従動歯車９７に設けた作動軸１０２が前記上可動部材８０の回転軸８１に連結されたアーム部材１０３を押圧して、該回転軸８１を中心に上可動部材８０が初期位置から可動位置に向けて回転する。そして、前記従動歯車９７が前記第２位置まで回転すると、該従動歯車９７に形成された位置検出片１０１が前記装置本体６５に形成された第２規制部７７に当接して従動歯車９７の回転が規制され、これに伴って上可動部材８０が可動位置で回転規制される。また反対に、前記上可動部材８０が可動位置(従動歯車９７が第２位置)にある状態で前記従動歯車９７が第２位置から第１位置に向けて回転するよう前記上可動演出装置６１の駆動モータ７９が駆動されると、該従動歯車９７に設けた作動軸１０２が前記上可動部材８０の回転軸８１に連結されたアーム部材１０３を押圧して、回転軸８１を中心に上可動部材８０が可動位置から初期位置に向けて回転する。そして、前記従動歯車９７が前記第１位置まで回転すると、該従動歯車９７に形成された位置検出片１０１が前記装置本体６５に形成された第１規制部７６に当接して従動歯車９７の回転が規制され、これに伴って上可動部材８０が初期位置で回転規制される。
【００９４】
このように、前記上可動演出装置６１の駆動モータ７９を駆動した際に、前記位置検出センサ７８に検出されて上可動部材８０の位置基準としての指標となる位置検出片１０１が装置本体６５に設けた第１規制部７６および第２規制部７７に当接することで、前記従動歯車９７の回転を規制し、これにより所定の初期位置および可動位置の間で可動するよう上可動部材８０の可動範囲が規定される。すなわち、実施例に係る上可動演出装置６１では、前記位置検出センサ７８に検出されて上可動部材８０の位置基準としての指標となる位置検出片１０１が、上可動部材８０の可動範囲を規定する手段としても機能することで、上可動部材８０の可動範囲を規定する構成を別途独立して備える必要がない。このように、前記従動歯車９７に設けた位置検出片１０１が上可動部材８０の可動範囲を規定する手段としても機能することで、上可動部材８０が所定の可動範囲を超えて動作することを確実に防止し得ると共に、装置構成の簡略化を図り得る。
【００９５】
また、前記上可動部材８０を初期位置から可動位置に回転する際には、前記従動歯車９７が第１位置から第２位置に向けて回転する過程で、該従動歯車９７に形成された位置検出片１０１が前記位置検出センサ７８の受光部７８ｂと発光部７８ａとの間に臨み、該位置検出センサ７８による検出状態がＯＦＦ状態からＯＮ状態に切り替わる。そして、前記位置検出センサ７８による検出状態がＯＦＦ状態からＯＮ状態に切り替わった後は、前記従動歯車９７が第２位置まで回転するまで位置検出センサ７８の検出状態がＯＮ状態のまま維持される。反対に、前記上可動部材８０を可動位置から初期位置に回転する際には、前記従動歯車９７が第２位置から第１位置に向けて回転する過程で、従動歯車９７に形成された前記位置検出片１０１が前記位置検出センサ７８の受光部７８ｂと発光部７８ａとの間から退避して、該位置検出センサ７８による検出状態がＯＮ状態からＯＦＦ状態に切り替わる。そして、前記位置検出センサ７８による検出状態がＯＦＦ状態に切り替わった後は、前記従動歯車９７が第１規制部７６に当接する第１位置まで回転するまで位置検出センサ７８の検出状態がＯＦＦ状態のまま維持される。
【００９６】
すなわち、実施例に係る上可動演出装置６１では、前記従動歯車９７(位置検出片１０１)が第１位置および第２位置にある状態での位置検出センサ７８の検出状態が異なるよう構成されると共に、該位置検出センサ７８の検出状態が切り替わる切替位置から第１位置の間を位置検出片１０１が移動する間および切替位置から第２位置の間を位置検出片１０１が移動する間は位置検出センサ７８の検出状態が変化することがない。すなわち、位置検出センサ７８の検出状態に応じて前記位置検出片１０１が切替位置から第１位置の間にあるか、切替位置から第２位置の間にあるかを一義的に認識することができるため、制御装置に係る制御負荷を軽減することができる。
【００９７】
(変更例)
本願は前述した実施例の構成に限定されるものではなく、その他の構成を適宜に採用することができる。
(1)  実施例では、遊技盤を木製の板部材と裏ユニットとから構成したが、アクリル等の透明な材料で形成した透明板と裏ユニットとから構成したものであってもよい。
(2)  実施例では、装飾部材に設けたステージへのパチンコ球の入口となる球入口を、該装飾部材の左側にのみ開設した場合で説明したが、該球入口を装飾部材の右側にのみ開設したり、左右両側に開設する構成を採用し得る。なお、装飾部材の左右何れか一側にのみ球入口を開設した構成では、該球入口が開設される側とは反対側に第２の上段ステージ部を設けるのが好ましい。
(3)  実施例では、第１の上段ステージ部と第２の上段ステージ部とでの下段ステージ部へのパチンコ球の移動確率を、連絡通路を第２の上段ステージ部側にのみ設けることで変えたが、第１および第２の上段ステージ部の両側に連絡通路を設ける前提で、各連絡通路における球入口の大きさを変える等、その他各種の手段によって下段ステージ部へのパチンコ球の移動確率を変えるようにしてもよい。
(4)  実施例では、第１および第２の上段ステージ部を、何れも下方に突出する凹形状としたが、各上段ステージ部を波形状としたものであってもよく、両上段ステージ部が凸形状部で連結されていればよい。また、各上段ステージ部を波形状とした場合は、波形状における各凸形状部の下面側に形成される凹部の夫々に対応して規制部を設けるようにすればよい。
(5)  実施例では、第１ステージ部材に配設した装飾部品の固定用ボスを、凹部にパチンコ球が嵌り込むのを防止する規制部としたが、専用の規制部を設ける構成を採用し得る。
(6)  実施例では、第１および第２の上段ステージ部を第１ステージ部材に形成したが、各上段ステージ部を夫々別のステージ部材に形成してもよく、また両上段ステージ部と下段ステージ部を１つのステージ部材に形成する形態を採用し得る。
(7)  実施例における仕切板より後方に突出する第２球誘導通路画成部の後通路壁(球誘導路を画成する壁部材)を、該仕切板の後方に位置する下可動部材の支持部として利用することができる。この場合は、長尺に構成した下可動部材を第１位置(待機位置)に支持する専用の部材を設ける必要はなく、部品点数や製造コストを低廉に抑えることが可能となる。
(8)  実施の可動演出装置(上可動演出装置)では、可動部材を回転動作するよう構成したが、これに限られるものではなく、所定の第１の折返し位置および第２の折返し位置の間で往復移動する構成であれば、直線的な動きをするよう構成してもよい。
(9)  また、可動演出装置(上可動演出装置)に備える駆動手段としては、実施例のようなステッピングモータからなる駆動モータに限られるものではなく、サーボモータであってもよく、また電磁ソレノイド等の直線的な動作を行う駆動手段も好適に採用し得る。
(10)  実施例では、可動演出装置(上可動演出装置)において駆動歯車に接続する従動歯車に指標手段としての位置検出片を形成するようにしたが、これに限らず、例えば駆動伝達手段にラック部材を設けて、該ラック部材に指標手段を形成するようにしてもよい。すなわち、指標手段は、駆動手段を可動部材に接続する駆動伝達手段を構成する構成部品に対して設けることで、可動部材を第１の折返し位置に対応する第１位置および第２の折返し位置に対応する第２位置の間で往復移動するよう構成すればよい。
(11)  実施例に係る可動演出装置(上可動演出装置)では、指標手段を検出する検出手段として光学式の検出センサを採用したが、これに限られるものではなく、駆動手段の駆動に伴った指標手段の移動過程で、該指標手段を検出し得るものであれば、例えばマイクロスイッチや磁気センサ等従来公知の各種の検出手段を採用することが可能である。
(12)  実施例の可動演出装置(上可動演出装置)では、指標手段に当接して駆動伝達手段(すなわち可動部材)の移動を規制する規制手段を装置本体に形成したが、これに限られるものではなく、第１位置または第２位置に指標手段が移動した際に当接可能な位置に形成すればよい。
(13)  また実施例では、指標手段(位置検出片)が第１位置および第２位置に移動した際に、対応の第１規制部および第２規制部に当接するよう構成したが、該指標手段が第１位置および第２位置の何れか一方に移動した際に規制手段が当接して移動規制するよう構成することもできる。すなわち、第１位置または第２位置に移動した指標手段に規制手段が当接することで、可動部材の位置基準としての指標手段を可動部材の可動範囲を規定する手段として機能することができ、可動部材を所定の可動範囲で動作させ得ると共に、装置構成の簡略化を図り得る。
(14)  遊技機としては、パチンコ機に限られるものではなく、アレンジボール機やパチンコ球を用いたスロットマシン等、その他各種の遊技機であってもよい。
【符号の説明】
【００９８】
６５  装置本体
６５ａ  空間部
７３  操作窓
７６  第１規制部(規制手段)
７７  第２規制部(規制手段)
７８  位置検出センサ(検出手段)
７９  駆動モータ(駆動手段)
７９ａ  駆動軸
８０  上可動部材(可動部材)
８１  回転軸
９５  駆動伝達手段
９６  駆動歯車
９７  従動歯車(回転部材)
１０１  位置検出片(指標手段)
１０２  作動軸
１０３  アーム部材
１０３ａ  作動孔
【図１】
0005538111.tif 000002
【図２】
0005538111.tif 000003
【図３】
0005538111.tif 000004
【図４】
0005538111.tif 000005
【図５】
0005538111.tif 000006
【図６】
0005538111.tif 000007
【図７】
0005538111.tif 000008
【図８】
0005538111.tif 000009
【図９】
0005538111.tif 000010
【図１０】
0005538111.tif 000011
【図１１】
0005538111.tif 000012
【図１２】
0005538111.tif 000013
【図１３】
0005538111.tif 000014
【図１４】
0005538111.tif 000015
【図１５】
0005538111.tif 000016
【図１６】
0005538111.tif 000017
【図１７】
0005538111.tif 000018
【図１８】
0005538111.tif 000019
【図１９】
0005538111.tif 000020
【図２０】
0005538111.tif 000021
【図２１】
0005538111.tif 000022
【図２２】
0005538111.tif 000023